(57)【要約】  本発明によるマスカラブラシは、マスカラブラシにおいて、円筒状のブラシ胴体と前記ブラシ胴体周りにマスカラ液を塗布するためのブラシ成形部が一体で射出されて、前記ブラシ胴体は眉毛整理のためのコム成型部の一端が含まれるように二重射出されることを特徴とする。そして、本発明のマスカラブラシは、円筒状のブラシ胴体と前記ブラシ胴体周りにマスカラ液を塗布するためのブラシ成形部が一体で射出されて、前記ブラシ胴体は眉毛整理のためのコム成形部の一端が含まれるように二重射出されるマスカラブラシにおいて、前記ブラシ成形部の毛厚さを細く成形するが、それぞれの毛は雪結晶形状の細かい枝を形成させて、マスカラ液の吸水性が向上されるようにして、前記コム成形部のコムは相対的に堅い材質で成形して、眉毛整理に好適な強度を有するようにすることを特徴とする。
2010514493.tif 000002
【特許請求の範囲】
【請求項１】
マスカラブラシであって、
まつげにマスカラ液を塗布するためのブラシ成形部であって、円筒状のブラシ胴体部および当該ブラシ胴体部の周囲に射出成形プロセスを経て形成される毛を含むブラシ成形部と、
まつげ整理のためのコム成形部であって、その一部がブラシ胴体部にうめこまれるように形成されたコム成形部と、
を備え、前記ブラシ成形部およびコム成形部は、二重射出成形により形成される、
ことを特徴とするマスカラブラシ。
【請求項２】
請求項１に記載のマスカラブラシであって、
前記コム成形部は、前記ブラシ胴体部の中心軸に沿ってブラシ胴体部内に形成された中心連結部と、前記中心連結部の外面から延長形成される１列以上のコムと、を含むことを特徴とするマスカラブラシ。
【請求項３】
請求項１に記載のマスカラブラシであって、
前記コム成形部は、前記ブラシ胴体部の外表面に形成されるサイド連結部と、前記サイド連結部の外面から延長形成される１列以上のコムと、を含むことを特徴とするマスカラブラシ。
【請求項４】
請求項１から３のいずれか１項に記載のマスカラブラシであって、
前記ブラシ成形部およびコム成形部は、その毛およびコムが前記ブラシ胴体の周りに放射状で配列するように形成され、
前記コム成形部は、前記ブラシ胴体から１方向に延びる、
ことを特徴とするマスカラブラシ。
【請求項５】
請求項４に記載のマスカラブラシであって、
前記コム成形部は、前記中心連結部から１方向に延びる１から５列のコムを含む、ことを特徴とするマスカラブラシ。
【請求項６】
請求項１から３のいずれか１項に記載のマスカラブラシであって、
前記ブラシ成形部およびコム成形部は、その毛およびコムが前記ブラシ胴体の周りに放射状で配列するように形成され、
前記コム成形部は、前記ブラシ胴体から２方向かつ反対方向に延びる、
ことを特徴とするマスカラブラシ。
【請求項７】
請求項１から３のいずれか１項に記載のマスカラブラシであって、
前記ブラシ成形部およびコム成形部は、その毛およびコムが前記ブラシ胴体の周りに放射状で配列するように形成され、
前記コム成形部は、前記ブラシ胴体から、等角度間隔空けた３方向に延びる、
ことを特徴とするマスカラブラシ。
【請求項８】
請求項１から３のいずれか１項に記載のマスカラブラシであって、
前記ブラシ成形部およびコム成形部は、その毛およびコムが前記ブラシ胴体の周りに放射状で配列するように形成され、
前記コム成形部は、前記ブラシ胴体から、等角度間隔空けた４方向に延びる、
ことを特徴とするマスカラブラシ。
【請求項９】
請求項１から３のいずれか１項に記載のマスカラブラシであって、
前記ブラシ胴体部は、三角以上の多角形断面を有する、ことを特徴とするマスカラブラシ。
【請求項１０】
請求項９に記載のマスカラブラシであって、
前記コム成形部は、前記ブラシ胴体部の多角形断面の角部に形成され、
前記ブラシ成形部は、前記ブラシ胴体部の多角形断面の平面部に形成される、
ことを特徴とするマスカラブラシ。
【請求項１１】
請求項１から３のいずれか１項に記載のマスカラブラシであって、
前記ブラシ胴体部は、楕円形の断面を有する、ことを特徴とするマスカラブラシ。
【請求項１２】
請求項１から３のいずれか１項に記載のマスカラブラシであって、
前記ブラシ成形部は、エラストマー、シリコン、プラスチック系列のうちでいずれか一つの材料からなる、ことを特徴とするマスカラブラシ。
【請求項１３】
請求項１から３のいずれか１項に記載のマスカラブラシであって、
前記ブラシ成形部は、軟質の材質からなり、
前記コム成形部は、相対的に堅い材質からなる、
ことを特徴とするマスカラブラシ。
【請求項１４】
請求項１３に記載のマスカラブラシであって、
前記ブラシ成形部の毛は、０．０７〜０．１３ｍｍの厚さを有し、
前記コム成形部のコムは、０．１０〜０．３８ｍｍの厚さを有する、
ことを特徴とするマスカラブラシ。
【請求項１５】
マスカラブラシであって、
まつげにマスカラ液を塗布するためのブラシ成形部であって、円筒状のブラシ胴体部および当該ブラシ胴体部の周囲に射出成形プロセスを経て形成される毛を含むブラシ成形部と、
まつげ整理のためのコム成形部であって、その一部がブラシ胴体部にうめこまれるように形成されたコム成形部と、
を備え、前記ブラシ成形部およびコム成形部は、二重射出成形により形成され、
前記ブラシ成形部は、その毛を薄くなるよう、かつ、マスカラ液の吸水性が向上されるべく各毛が雪結晶状の枝を有するように形成されており、
前記コム成形部のコムは、まつげ整理に適した強度を有するべく相対的に堅い材質からなる、
ことを特徴とするマスカラブラシ。
【請求項１６】
請求項１５に記載のマスカラブラシであって、
前記コム成形部は、前記ブラシ胴体部の中心軸に沿ってブラシ胴体部内に形成された中心連結部と、前記中心連結部の外面から延長形成される１列以上のコムと、を含むことを特徴とするマスカラブラシ。
【請求項１７】
請求項１５に記載のマスカラブラシであって、
前記コム成形部は、前記ブラシ胴体部の外表面に形成されるサイド連結部と、前記サイド連結部の外面から延長形成される１列以上のコムと、を含むことを特徴とするマスカラブラシ。
【請求項１８】
請求項１５から１７のいずれか１項に記載のマスカラブラシであって、
前記ブラシ成形部およびコム成形部は、その毛およびコムが前記ブラシ胴体の周りに放射状で配列するように形成され、
前記コム成形部は、前記ブラシ胴体から１方向に延びる、
ことを特徴とするマスカラブラシ。
【請求項１９】
請求項１８に記載のマスカラブラシであって、
前記コム成形部は、前記中心連結部から１方向に延びる１から５列のコムを含む、ことを特徴とするマスカラブラシ。
【請求項２０】
請求項１５から１７のいずれか１項に記載のマスカラブラシであって、
前記ブラシ成形部およびコム成形部は、その毛およびコムが前記ブラシ胴体の周りに放射状で配列するように形成され、
前記コム成形部は、前記ブラシ胴体から２方向かつ反対方向に延びる、
ことを特徴とするマスカラブラシ。
【請求項２１】
請求項１５から１７のいずれか１項に記載のマスカラブラシであって、
前記ブラシ成形部およびコム成形部は、その毛およびコムが前記ブラシ胴体の周りに放射状で配列するように形成され、
前記コム成形部は、前記ブラシ胴体から、等角度間隔空けた３方向に延びる、
ことを特徴とするマスカラブラシ。
【請求項２２】
請求項１５から１７のいずれか１項に記載のマスカラブラシであって、
前記ブラシ成形部およびコム成形部は、その毛およびコムが前記ブラシ胴体の周りに放射状で配列するように形成され、
前記コム成形部は、前記ブラシ胴体から、等角度間隔空けた４方向に延びる、
ことを特徴とするマスカラブラシ。
【請求項２３】
請求項１５から１７のいずれか１項に記載のマスカラブラシであって、
前記ブラシ胴体部は、三角以上の多角形断面を有する、ことを特徴とするマスカラブラシ。
【請求項２４】
請求項２３に記載のマスカラブラシであって、
前記コム成形部は、前記ブラシ胴体部の多角形断面の角部に形成され、
前記ブラシ成形部は、前記ブラシ胴体部の多角形断面の平面部に形成される、
ことを特徴とするマスカラブラシ。
【請求項２５】
請求項１５から１７のいずれか１項に記載のマスカラブラシであって、
前記ブラシ胴体部は、楕円形の断面を有する、ことを特徴とするマスカラブラシ。
【請求項２６】
請求項１５から１７のいずれか１項に記載のマスカラブラシであって、
前記ブラシ成形部は、エラストマー、シリコン、プラスチック系列のうちでいずれか一つの材料からなる、ことを特徴とするマスカラブラシ。
【請求項２７】
請求項１５から１７のいずれか１項に記載のマスカラブラシであって、
前記ブラシ成形部は、軟質の材質からなり、
前記コム成形部は、相対的に堅い材質からなる、
ことを特徴とするマスカラブラシ。
【請求項２８】
請求項２７に記載のマスカラブラシであって、
前記ブラシ成形部の毛は、０．０７〜０．１３ｍｍの厚さを有し、
前記コム成形部のコムは、０．１０〜０．３８ｍｍの厚さを有する、
ことを特徴とするマスカラブラシ。
【請求項２９】
マスカラブラシであって、
まつげにマスカラ液を塗布するためのブラシ成形部であって、長さ方向に規定の曲率を有する円筒状のブラシ胴体部および当該ブラシ胴体部の周囲に射出成形プロセスを経て形成される毛を含むブラシ成形部と、
まつげ整理のためのコム成形部であって、その一部がブラシ胴体部にうめこまれるように形成されたコム成形部と、
を備え、前記ブラシ成形部およびコム成形部は、二重射出成形により形成される、
ことを特徴とするマスカラブラシ。
【請求項３０】
請求項２９に記載のマスカラブラシであって、
前記ブラシ成形部は、前記ブラシ胴体部の外側曲面に形成され、
前記コム成形部は、前記ブラシ胴体部の内側曲面に形成される、
ことを特徴とするマスカラブラシ。
【請求項３１】
請求項２９に記載のマスカラブラシであって、
前記コム成形部は、前記ブラシ胴体部の外側曲面に形成され、
前記ブラシ成形部は、前記ブラシ胴体部の内側曲面に形成される、
ことを特徴とするマスカラブラシ。
【請求項３２】
請求項２９から３１のいずれか１項に記載のマスカラブラシであって、
前記ブラシ胴体部の曲率は、ユーザのまつげの曲率と類似である、ことを特徴とするマスカラブラシ。
【請求項３３】
マスカラブラシであって、
まつげにマスカラ液を塗布するためのブラシ成形部であって、長さ方向に規定の曲率を有する円筒状のブラシ胴体部および当該ブラシ胴体部の周囲に射出成形プロセスを経て形成される毛を含むブラシ成形部と、
まつげ整理のためのコム成形部であって、その一部がブラシ胴体部にうめこまれるように形成されたコム成形部と、
を備え、前記ブラシ成形部およびコム成形部は、二重射出成形により形成され、
前記ブラシ成形部は、その毛を薄くなるよう、かつ、マスカラ液の吸水性が向上されるべく各毛が雪結晶状の枝を有するように形成されており、
前記コム成形部のコムは、まつげ整理に適した強度を有するべく相対的に堅い材質からなる、
ことを特徴とするマスカラブラシ。
【請求項３４】
請求項３３に記載のマスカラブラシであって、
前記ブラシ成形部は、前記ブラシ胴体部の外側曲面に形成され、
前記コム成形部は、前記ブラシ胴体部の内側曲面に形成される、
ことを特徴とするマスカラブラシ。
【請求項３５】
請求項３３に記載のマスカラブラシであって、
前記コム成形部は、前記ブラシ胴体部の外側曲面に形成され、
前記ブラシ成形部は、前記ブラシ胴体部の内側曲面に形成される、
ことを特徴とするマスカラブラシ。
【請求項３６】
請求項３３から３５のいずれか１項に記載のマスカラブラシであって、
前記ブラシ胴体部の曲率は、ユーザのまつげの曲率と類似である、ことを特徴とするマスカラブラシ。
【発明の詳細な説明】
【技術分野】
【０００１】
本発明は、マスカラブラシに関するものであり、より詳細には、マスカラブラシの組み立て工程および生産設備を単純化する一方、作業性及び生産性が向上されるようにするために、ブラシ胴体にマスカラ液を塗布するためのブラシ成形部およびまつげ整理のためのコム成形部を、射出成形により一体で形成するようになされたマスカラブラシに関するものである。
【背景技術】
【０００２】
一般に、マスカラは、女性らが使用する化粧品の一種として目の味感を引き立つようにするために、まつげに多様な色相のマスカラ液を塗る際に使用される。このようなマスカラは、マスカラ液が保存される容器と、該容器を開閉するための取っ手と、該取っ手の下部に突出される棒状のブラシ台、および、前記ブラシ台に形成されたブラシに大別される。そして、前記取っ手と容器を、適宜、結合または分離させ、前記ブラシにマスカラ液をつけて使用している。
【０００３】
特に、上述したように形成されたマスカラブラシは、毛の長さと形態によって、まつげに対するボリューム（Volume:まつげを豊かに見えるようにする効果）、カール（Curl:まつげの末端を上方へ巻いて上げられるようにする効果）、ロングラッシュ（Long lash:まつげの長さを長く見えるようにする効果）、クリーン（Clean:まつげが固まらないようにする効果）などの多様な機能に合うように製作されている。
【０００４】
一般的に使用される従来のマスカラブラシは、通常、一定な長さを有するブラシの毛らを二本のワイヤの間においてねじ線模様で一定回数組んで、その断面が中央のワイヤ軸を基準に円形、三角形または扇形などの多様な形態を有するように製作されており、これにより前記ブラシの断面形態に対してそれぞれボリューム、カール、ロングラッシュまたはクリーンの効果を得ることができる。
【０００５】
このようなマスカラブラシの基本的な役割は、粘性を有するマスカラ液をまつげに均一に塗布することであり、まつげがお互いにからみ合わないようにブラシによるくしけずり効果が優秀でなければならない。しかし、前記従来のマスカラブラシは、毛らがワイヤが捩れることによってねじ型に放射されて、前記毛の間にマスカラ液を多量収容するようになるので、まつげにボリューム感を与えることができる。そのため、マスカラ液の粘性によっては、まつげが固まるようになって、別途の整理用器具を利用してまつげを整理するか、または、前記マスカラ液を消して再び化粧をしなければならない不便さがある。
【０００６】
図１は、従来技術によるマスカラブラシとして塗布用ブラシと整理用ブラシを分離した状態を示した正面図を示して、図２は従来技術による他の形態のマスカラブラシの正面図を示す。
【０００７】
同図面で明らかなとおり、塗布用ブラシ３は、マスカラ液を収容してまつげに塗るための部材である。この塗布用ブラシ３は、一定な長さを有する多数個の毛３１らを、中央が折曲されて重ねられた状態のワイヤの間に直交方向に介在させた後、当該ワイヤを螺旋形で一定回数組むことで構成される。ワイヤを螺旋形で組みことで、前記毛３１らは前記ワイヤの捩れることによって形成されたワイヤ軸２１に放射形で固定された状態になる。
【０００８】
そして、前記塗布用ブラシ３の一側垂直方向は、前記ワイヤ軸２１によって固定された状態である毛３１を切断した切断部３２が形成されている。そして、前記のように形成された塗布用ブラシ３は、ブラシ台の下部に固定結合されて前記ブラシ台と一体になるようになる。
【０００９】
整理用ブラシ４は、塗布用ブラシ３によってマスカラ液がつけられたまつげを整理するための部材であり、櫛の歯形態を有するコム（COMB）４２が固定台４１の外側に突出形成されている。
【００１０】
前記固定台４１は、前記コム４２を前記塗布用ブラシ３の切断部３２に固定させるためのものであり、前記ブラシ台の外周面周りと同一周りで形成されて、前記塗布用ブラシ３と一体になるように前記ブラシ台の下部に突出されたワイヤ軸２１と同一であるか、またはすこし長い長さで形成される。
【００１１】
そして、前記固定台４１の上端は、前記ワイヤ軸２１が挿入されて前記固定台４１が塗布用ブラシ３と一体になるように差し込みホール４４が形成されている。固定台４１の下端は、前記ワイヤ軸２１の下端が挿入されて固定されるように差し込み溝４３が形成されている。前記固定台４１は前記塗布用ブラシ３の毛３１らの間に形成された切断部３２に位置されなければならないので、前記固定台４１の差し込みホール４４と差し込み溝４３との間は側壁４５によって支持されて前記固定台４１は‘コ'字形態で形成されて、その横断面形態は前記切断部３２の形態に対応されるようにする扇形の形態で形成される。
【００１２】
前記コム４２は、まつげをくしけずるためのものであり、前記固定台４１の側壁４５外周面に垂直方向に一つの櫛の歯形態で突出形成されている。このコム４２は、前記塗布用ブラシ３の毛３１がワイヤ軸２１に固定された長さ程度、前記側壁４５の垂直方向に分岐成形されて一列で形成されている。コム４２の櫛の歯は、前記固定台４１と同一な材質を有する合成樹脂で形成されており、前記塗布用ブラシ３をなす毛３１より厚くて堅く形成されている。コム４２をなす櫛の歯と櫛の歯は、所定の間隔で一列に形成されている。つまり、整理用ブラシ４は一字櫛のような形態で形成される。
【００１３】
しかし、この従来技術のように、塗布用ブラシ３と整理用ブラシ４と、をそれぞれ製作して組立てる場合、当該組み立て工程のために人力及び装備を取り揃えるのに多くの費用が発生するという問題があった。
【００１４】
また、前記塗布用ブラシ３を製作するためには、一定な長さの多数個の毛３１らを一対のワイヤの間に介在させた後、前記ワイヤを螺旋形に組んで毛３１らがワイヤ軸２１に放射形に固定されるようにするなどの複雑な加工作業を行わなければならない。さらに、前記整理用ブラシ４は、前記した作業工程とは別の金型工程を通じて射出製作されるものであり、当該別途の金型設備を取り揃えなければならない。そのため、マスカラブラシを生産するための全体設備費用が増加することはもちろん、複雑な生産ラインによる生産性が低下されるという問題もあった。
【発明の概要】
【発明が解決しようとする課題】
【００１５】
前記従来技術の問題点を解決するために、本発明の目的は、マスカラブラシの組み立て工程及び生産設備を単純化する一方、作業性及び生産性を向上するために二重射出成形により、ブラシ胴体にマスカラ液を塗布するためのブラシ成形部、および、まつげ整理のためのコム成形部を一体で形成するようになされたマスカラブラシを提供することにある。
【課題を解決するための手段】
【００１６】
前記目的を達成するための本発明によるマスカラブラシは、マスカラブラシにおいて、円筒状のブラシ胴体と該ブラシ胴体周りにマスカラ液を塗布するためのブラシ成形部とが一体で射出されて、前記ブラシ胴体はまつげ整理のためのコム成形部の一端が含まれるように二重射出されることを特徴とする。
【００１７】
そして、本発明のマスカラブラシは、円筒状のブラシ胴体と該ブラシ胴体周りにマスカラ液を塗布するためのブラシ成形部が一体で射出されて、前記ブラシ胴体はまつげ整理のためのコム成形部の一端が含まれるように二重射出されるマスカラブラシにおいて、前記ブラシ成形部の毛厚さを細く成形するが、それぞれの毛は雪結晶形状の細かい枝を形成させてマスカラ液の吸水性が向上されるようにして、前記コム成形部のコムは相対的に堅い材質で成形してまつげ整理に好適な強度を有するようにすることを特徴とする。
【００１８】
そして、本発明のマスカラブラシは、マスカラブラシにおいて、円筒状のブラシ胴体が長さ方向に一定な曲率を有するように成形されて、前記ブラシ胴体周りにマスカラ液を塗布するためのブラシ成形部が一体で射出されて、前記ブラシ胴体はまつげ整理のためのコム成形部の一端が含まれるように二重射出されることを特徴とする。
【００１９】
そして、本発明のマスカラブラシは、円筒状のブラシ胴体が長さ方向に一定な曲率を有するように成形されて、前記ブラシ胴体周りにマスカラ液を塗布するためのブラシ成形部が一体で射出されて、前記ブラシ胴体はまつげ整理のためのコム成形部の一端が含まれるように二重射出されるマスカラブラシにおいて、前記ブラシ成形部の毛厚さを細く成形するが、それぞれの毛は雪結晶形状の細かい枝を形成させて、マスカラ液の吸水性が向上するようにして、前記コム成形部のコムは相対的に堅い材質で成形してまつげ整理に好適な強度を有するようにすることを特徴とする。
【発明の効果】
【００２０】
本発明は、二重射出成形を通じてブラシ胴体にマスカラ液を塗布するためのブラシ成形部およびまつげ整理のためのコム成形部を一体で形成することで、組み立て工程及び生産設備を単純化することができるようになって生産費用を節減するようになる一方、作業性及び生産性が向上する効果がある。
【図面の簡単な説明】
【００２１】
【図１】従来技術によるマスカラブラシとして塗布用ブラシと整理用ブラシを分離した状態を示した正面図である。
【図２】従来技術による他の形態のマスカラブラシの正面図である。
【図３】本発明の第一実施例によるマスカラブラシの正面図及び平面図と側面図である。
【図４】同じく、本発明の第一実施例によるマスカラブラシの正面図及び平面図と側面図である。
【図５】（ａ）から（ｅ）は、図３の変形実施例を説明するための平面図である。
【図６】本発明の第二実施例によるマスカラブラシの平面図である。
【図７】同じく、本発明の第二実施例によるマスカラブラシの平面図である。
【図８】本発明の第三実施例によるマスカラブラシの平面図である。
【図９】同じく、本発明の第三実施例によるマスカラブラシの平面図である。
【図１０】本発明の第四実施例によるマスカラブラシの平面図である。
【図１１】同じく、本発明の第四実施例によるマスカラブラシの平面図である。
【図１２】本発明の第五実施例によるマスカラブラシの平面図である。
【図１３】本発明の第五実施例によるマスカラブラシの平面図である。
【図１４】（ａ）から（ｅ）は、図１２の変形実施例を説明するための平面図である。
【図１５】本発明の第六実施例によるマスカラブラシの平面図である。
【図１６】本発明の第六実施例によるマスカラブラシの平面図である。
【図１７】本発明の第七実施例によるマスカラブラシの平面図である。
【図１８】同じく、本発明の第七実施例によるマスカラブラシの平面図である。
【図１９】本発明の第八実施例によるマスカラブラシの平面図である。
【図２０】同じく、本発明の第八実施例によるマスカラブラシの平面図である。
【図２１】本発明の第九実施例によるマスカラブラシの正面図及び平面図と側面図である。
【図２２】本発明の第十実施例によるマスカラブラシの正面図及び平面図と側面図である。
【図２３】本発明の第十一実施例によるマスカラブラシの正面図及び平面図と側面図である。
【図２４】本発明の第十二実施例によるマスカラブラシの正面図及び平面図と側面図である。
【発明を実施するための形態】
【００２２】
以下、本発明の望ましい実施例を添付された図面を参照して詳しく説明する。
【００２３】
図３および図４は、本発明の第一実施例であるマスカラブラシの正面図、平面図および側面図である。これら図面で見るところのようなマスカラブラシは、円筒状のブラシ胴体１１０と、前記ブラシ胴体１１０周りに設けられマスカラ液を塗布するためのブラシ成形部１２０と、が一体で射出されている。ブラシ胴体１１０は、まつげ整理のためのコム成形部１３０の一端が含まれるように二重射出される構成でなされる。
【００２４】
前記ブラシ胴体１１０は、おおよそ円筒形状で製作されるが、マスカラブラシの取っ手（図示せず）に結合されて使用されるものである。すなわち、ブラシ胴体１１０は、その末端に結合端部１１１を形成し、取っ手と結合されるようにする。
【００２５】
このようなブラシ胴体１１０は、円周面に無数の突起形状を有するブラシ成形部１２０およびコム成形部１３０を形成するようになる。前記ブラシ成形部１２０は、ブラシ胴体１１０と一体的に製作される。一方、前記コム成形部１３０は、ブラシ胴体１１０の材質とは異なる異種の材質を利用して射出する。
【００２６】
このようにお互いに異なる異種材質を利用して射出する方法を二重射出と言う。ここで、二重射出に対してより詳しく説明すれば、二種の異なる樹脂または異なる二つ色の樹脂を使用して、二個の射出装置と、可動板に回転器具を設置した構造の射出機またはコアやスライド構造を利用して二重射出可能に設計された金型と、で最初に成形した１次成形品と２次キャビティ（CAVITY）との空間に２次樹脂を充填して成形するものである。
【００２７】
１次側と２次側とのキャビティ（CAVITY）が正確に交替されるので、形状の制約が少なくて、製品適用の幅が広くてデザインの多様化が可能である。また、一回で射出することで、既存の一般射出が２回にわたって２個の部品で成形して、溶着または塗装工程の２次加工を行って製品化したことを一回の成形でこれを解決することで原価低減はもちろん多様なデザインの製品生産が可能な利点がある。
【００２８】
そして、本発明は、ブラシ胴体１１０の外径周りに、ブラシ成形部１２０の毛１２１およびコム成形部１３０のコム１３１を放射状で配列した円形層をブラシ胴体１１０の長さ方向に反復形成してマスカラブラシを完成するようになる。
【００２９】
この時、前記ブラシ胴体１１０の外径周りにブラシ成形部１２０及びコム成形部１３０を放射状で形成するための金型方法は、インゼクト射出法（injection molding method）を使用することができる。
【００３０】
ここで、インゼクト射出法とは、周知共用されている技術として、既に広く知られた成形方法のうちの一つである。以下、これを利用した本発明の金型例を簡略に説明する。
【００３１】
まず、ブラシ胴体１１０の外周縁を囲むように薄いディスク形状のマイクロ金型（図示せず）が設置されて、外周縁周りに毛１２１またはコム１３１が放射状で射出成形されるようにする。
【００３２】
前記のようなマイクロ金型（図示せず）は、多数個がブラシ胴体１１０の長さ方向に沿って順に積載設置されて、無数に多い毛１２１またはコム１３１が、一時に成形されることができるようにするが、前記毛１２１またはコム１３１の配列は、金型形状によって自由に変更することができる。
【００３３】
前記したように、ブラシ成形部１２０とコム成形部１３０とは、互いに異なる材質から製作されるものである。すなわち、ブラシ成形部１２０の材質は、毛１２１の撓め変形が大きくてやんわりとなされて、既存の毛ブラシ役割を遂行するように軟性材質を利用して製作することが望ましい。また、コム成形部１３０は、コム１３１の撓め変形が少なくて堅くなされて、まつげを整理する櫛役割を遂行するように、堅い材質を利用して製作することが望ましい。
【００３４】
図３で明らかなとおり、コム成形部１３０は、ブラシ胴体１１０中央に中心連結バー１３３を形成し、当該中心連結バー１３３に１列以上のコム１３１らを同時に延長形成するようにしてもよい。
【００３５】
また、図４で明らかなとおり、コム成形部１３０は、ブラシ胴体１１０外径部にサイド連結バー１３５を形成し、前記サイド連結バー１３５一つに１列のコム１３１らを延長形成するようにしてもよい。
【００３６】
図３および図４で見るところのようなブラシ成形部１２０およびコム成形部１３０は、ブラシ胴体１１０の周りに放射状で配列されるが、前記コム成形部１３０を１方向に１列で形成するようにする例を示している。
【００３７】
図５の（ａ）〜（ｅ）は、図３の変形実施例を説明するための平面図であり、ブラシ胴体１１０周りの１方向にコム成形部１３０を１列に形成することは勿論、複数個（１〜５個）を形成することもできることを示している。
【００３８】
図６および図７は、本発明の第二実施例によるマスカラブラシの平面図であり、前記ブラシ成形部１２０およびコム成形部１３０をブラシ胴体１１０の周りに放射状で配列するが、前記コム成形部１３０をお互いに対向される２方向に形成されるようにする例を示している。
【００３９】
図８および図９は、本発明の第三実施例によるマスカラブラシの平面図であり、前記ブラシ成形部１２０およびコム成形部１３０をブラシ胴体１１０の周りに放射状で配列するが、前記コム成形部１３０を三方向に等間隔に形成する例を示している。
【００４０】
図１０および図１１は、本発明の第四実施例によるマスカラブラシの平面図であり、前記ブラシ成形部１２０およびコム成形部１３０をブラシ胴体１１０周りに放射状で配列するが、前記コム成形部１３０を四方向に等間隔で形成されるようにする例を示している。
【００４１】
前記第一実施例から第四実施例を通じて見られるところのような前記ブラシ胴体１１０は、円形断面は勿論であり、３角以上の多角形断面でも構成されることができる。
【００４２】
多角形ブラシ胴体１１０を構成する場合、角部にはコム成形部１３０が形成されるようにして、平面部にブラシ成形部１２０が形成されるようにすることができる。この時、角部に形成されるコム成形部１３０のコム１３１長さを、円形ブラシ胴体１１０に比べて短く形成することが可能になる。
【００４３】
ここで、前記ブラシ胴体１１０は、断面を卵形で製作することもできて、また、その他の多様な模様と形状で設計変形することも可能である。
【００４４】
前記したところのようなマスカラブラシの材質は、エラストマー、シリコン、プラスチック系列のうちでいずれか一つの材質で製作されることができるであろう。
【００４５】
そして、本発明はブラシ成形部１２０をなす毛１２１の厚さを０．０７〜０．１３mmに形成して、コム成形部１３０をなすコム１３１の厚さを０．１０〜０．３８mmで形成することができる。
【００４６】
図１２および図１３は、本発明の第五実施例によるマスカラブラシの平面図である。同図面で見るところのような本発明のマスカラブラシは、円筒状のブラシ胴体１１０と、該ブラシ胴体１１０周りに設けられ、マスカラ液を塗布するためのブラシ成形部１２０と、が一体で射出されている。そして、前記ブラシ胴体１１０はまつげ整理のためのコム成形部１３０の一端が含まれるように二重射出される構成でなされる。
【００４７】
ここで、前記ブラシ成形部１２０の毛１２３の厚さを細く成形するが、それぞれの毛１２３は雪結晶形状の細かい枝を形成させて、マスカラ液の吸水性が向上するようにすることが望ましい。また、前記コム成形部１３０のコム１３１は、相対的に堅い材質で成形してまつげ整理に好適な強度を有するようにすることが望ましい。
【００４８】
図１２で見るところのように、コム成形部１３０を、ブラシ胴体１１０中央に中心連結バー１３３が形成されるようにして、前記中心連結バー１３３に１列以上のコム１３１らが同時に延長形成されるようにすることができる。
【００４９】
また、図１３で見るところのように、コム成形部１３０を、ブラシ胴体１１０外径部にサイド連結バー１３５が形成されるようにして、前記サイド連結バー１３５一つに１列のコム１３１らが延長形成されるようにすることもできる。
【００５０】
図１２および図１３は、ブラシ成形部１２０及びコム成形部１３０は、ブラシ胴体１１０周りに放射状で配列するが、前記コム成形部１３０を１方向に１列が形成されるようにする例を示している。
【００５１】
図１４の（ａ）〜（ｅ）は、図１２の変形実施例を説明するための平面図であり、前記コム成形部１３０を１方向に１〜５個の列が形成されるように設計変更することも可能である。
【００５２】
図１５および図１６は、本発明の第六実施例によるマスカラブラシの平面図である。同図面で見るところのように前記ブラシ成形部１２０およびコム成形部１３０をブラシ胴体１１０周りに放射状で配列するが、前記コム成形部１３０をお互いに対向される二方向に形成されるようにすることができる。
【００５３】
図１７および図１８は、本発明の第七実施例によるマスカラブラシの平面図であり、同図面で見るところのように前記ブラシ成形部１２０およびコム成形部１３０をブラシ胴体１１０周りに放射状で配列するが、前記コム成形部１３０を三方向に等間隔に形成されるようにすることができる。
【００５４】
図１９および図２０は、本発明の第八実施例によるマスカラブラシの平面図である。前記ブラシ成形部１２０およびコム成形部１３０をブラシ胴体１１０周りに放射状で配列するが、前記コム成形部１３０を四方向に等間隔に形成されるようにする例を示している。
【００５５】
ここで、前記第五実施例から第八実施例を通じて見られるところのような前記ブラシ胴体１１０は、断面形状を三角以上の多角形で構成することもできて、卵形でも構成することもできる。
【００５６】
この時、前記ブラシ胴体１１０を多角形で構成する場合、角部にはコム成形部１３０が形成されるようにして、平面部にブラシ成形部１２０が形成されるようにすることができるが、前記角部に形成されるコム１３１は円形ブラシ胴体１１０である時に比べて短く形成することが可能になる。
【００５７】
勿論、ブラシ胴体１１０の形状が円形、多角形、卵形だけで制限されるものではない。これは製品生産段階でいくらでも易しく設計変更が可能な部分であることを明らかにしておく。
【００５８】
このような前記マスカラブラシは、エラストマー、シリコン、プラスチック系列のうちでいずれか一つの材質を利用して射出成形されることができる。
【００５９】
前記のように射出成形されるブラシ成形部１２０の毛１２３の厚さは、０．０７〜０．１３mmに形成して、コム成形部１３０のコム１３１の厚さは、０．１０〜０．３８mmに製作されるようにすることが望ましい。
【００６０】
図２１は、本発明の第九実施例によるマスカラブラシの正面図及び平面図と側面図である。図２２は、本発明の第十実施例によるマスカラブラシの正面図及び平面図と側面図である。
【００６１】
同図面で見るところのようなマスカラブラシは、円筒状のブラシ胴体１１０が長さ方向に一定な曲率を有するように成形されて、前記ブラシ胴体１１０周りにマスカラ液を塗布するためのブラシ成形部１２０が一体で射出されている。また、前記ブラシ胴体１１０はまつげ整理のためのコム成形部１３０の一端が含まれるように二重射出される構成でなされる。
【００６２】
この時、図２１は、前記ブラシ胴体１１０の外側曲面１１３にブラシ成形部１２０が形成されて、内側曲面１１５にコム成形部１３０が形成される例を示しているし、図２２は、前記ブラシ胴体１１０の外側曲面１１３にコム成形部１３０が形成されて、内側曲面１１５にブラシ成形部１２０が形成される例を示している。
【００６３】
図２３は、本発明の第１１実施例によるマスカラブラシの正面図及び平面図と側面図であり、図２４は、本発明の第１２実施例によるマスカラブラシの正面図及び平面図と側面図である。
【００６４】
同図面で見るところのような本発明によるマスカラブラシは、円筒状のブラシ胴体１１０が長さ方向に一定な曲率を有するように成形されて、前記ブラシ胴体１１０周りにマスカラ液を塗布するためのブラシ成形部１２０が一体で射出されて、前記ブラシ胴体１１０はまつげ整理のためのコム成形部１３０の一端が含まれるように二重射出されるマスカラブラシに関するものであり、前記ブラシ成形部１２０の毛１２３厚さを細く成形するが、それぞれの毛１２３は雪結晶形状の細かい枝を形成させて、マスカラ液の吸水性が向上するようにして、前記コム成形部１３０のコム１３１は、相対的に堅い材質で成形して、まつげ整理に好適な強度を有するようにする。
【００６５】
この時、図２３は、前記ブラシ胴体１１０の外側曲面１１３にブラシ成形部１２０が形成されて、内側曲面１１５にコム成形部１３０が形成される例を示しているし、図２４は、前記ブラシ胴体１１０の外側曲面１１３にコム成形部１３０が形成されて、内側曲面１１５にブラシ成形部１２０が形成される例を示している。
【００６６】
ここで、前記図２１ないし図２４でのブラシ胴体１１０の曲率は、使用者のまつげラインと近似な曲率で製作されるようにすることが望ましい。
【００６７】
前記のような構成及び作用を有する本発明は、前に説明した多様な実施例を利用した当業者の多様な修正及び変更が可能であり、本発明の真の技術的範囲は、明細書の詳細な説明に記載した内容に限定されるものではなく、特許請求範囲によって決まらなければならないであろう。
【符号の説明】
【００６８】
１１０  ブラシ胴体、１１１  結合端部、１１３  外側曲面、１１５  内側曲面、１２０  ブラシ成形部、１２１，１２３  毛、１３０  コム成形部、１３１  コム、１３３  中心連結バー、１３５  サイド連結バー。
【図１】
2010514493.tif 000003
【図２】
2010514493.tif 000004
【図３】
2010514493.tif 000005
【図４】
2010514493.tif 000006
【図５（ａ）】
2010514493.tif 000007
【図５（ｂ）】
2010514493.tif 000008
【図５（ｃ）】
2010514493.tif 000009
【図５（ｄ）】
2010514493.tif 000010
【図５（ｅ）】
2010514493.tif 000011
【図６】
2010514493.tif 000012
【図７】
2010514493.tif 000013
【図８】
2010514493.tif 000014
【図９】
2010514493.tif 000015
【図１０】
2010514493.tif 000016
【図１１】
2010514493.tif 000017
【図１２】
2010514493.tif 000018
【図１３】
2010514493.tif 000019
【図１４（ａ）】
2010514493.tif 000020
【図１４（ｂ）】
2010514493.tif 000021
【図１４（ｃ）】
2010514493.tif 000022
【図１４（ｄ）】
2010514493.tif 000023
【図１４（ｅ）】
2010514493.tif 000024
【図１５】
2010514493.tif 000025
【図１６】
2010514493.tif 000026
【図１７】
2010514493.tif 000027
【図１８】
2010514493.tif 000028
【図１９】
2010514493.tif 000029
【図２０】
2010514493.tif 000030
【図２１】
2010514493.tif 000031
【図２２】
2010514493.tif 000032
【図２３】
2010514493.tif 000033
【図２４】
2010514493.tif 000034
【国際調査報告】
2010514493.tif 000035
2010514493.tif 000036